(57)【要約】【課題】複数の乳幼児を複数の配置状態で保持可能な乳幼児保持具を提供する。【解決手段】乳幼児保持具１は、着用者Ｗの両肩及び腰に装着されるとともに着用者Ｗの身体に沿って配置される装着体５と、装着体５に複数箇所のいずれかで選択的に着脱可能に連結する着脱部１１ａと、着脱部１１ａから第１乳幼児Ｂａの股下を通ってその胴体の外側まで延在する保持部１２ａと、を備えるとともに保持部１２ａが装着体５にそれぞれ連結する両側部１３ａを備える第１保持体３ａと、装着体５に複数箇所のいずれかで選択的に着脱可能に連結する着脱部１１ｂと、着脱部１１ｂから第２乳幼児Ｂｂの股下を通ってその胴体の外側まで延在する保持部１２ｂと、を備えるとともに保持部１２ｂが装着体５にそれぞれ連結する両側部１３ｂを備える第２保持体３ｂとを有する。【選択図】図５
2020141798.tif 000002
【特許請求の範囲】
【請求項１】
着用者の両肩及び腰に装着されるとともに前記着用者の身体に沿って配置される装着体と、
前記装着体に複数箇所のいずれかで選択的に着脱可能に連結する着脱部と、当該着脱部から第１乳幼児の股下を通ってその胴体の外側まで延在する保持部と、を備えるとともに当該保持部が前記装着体にそれぞれ連結する両側部を備える第１保持体と、
前記装着体に複数箇所のいずれかで選択的に着脱可能に連結する着脱部と、当該着脱部から第２乳幼児の股下を通ってその胴体の外側まで延在する保持部と、を備えるとともに当該保持部が前記装着体にそれぞれ連結する両側部を備える第２保持体とを有する乳幼児保持具。
【請求項２】
前記乳幼児保持具が、前記第１乳幼児及び前記第２乳幼児を、前抱き状態及び前後抱き状態のいずれかで選択的に保持可能であり、
前記装着体が、
前記前抱き状態において前記着用者の前面左側に位置するとともに前記第１保持体の前記着脱部と着脱可能に連結する第１被着脱部と、
前記前抱き状態において前記着用者の前面右側に位置するとともに前記第２保持体の前記着脱部と着脱可能に連結する第２被着脱部と、
前記前後抱き状態で前記着用者の前面に位置するとともに前記第１保持体及び前記第２保持体の一方の前記着脱部と着脱可能に連結する第３被着脱部と、
前記前後抱き状態で前記着用者の背面に位置するとともに前記第１保持体及び前記第２保持体の他方の前記着脱部と着脱可能に連結する第４被着脱部とを有する、請求項１に記載の乳幼児保持具。
【請求項３】
先端側連結部及び基端側連結部を備えるとともに、当該先端側連結部が、前記前抱き状態において前記第１被着脱部に連結されている前記第１保持体の前記両側部の一方に着脱可能に連結するとともに前記前後抱き状態において前記第３被着脱部に連結されている前記第１保持体及び前記第２保持体の前記一方の前記両側部の一方に着脱可能に連結し、当該基端側連結部が、表向き状態と裏向き状態とのいずれかで選択的に前記装着体に着脱可能に連結する第１反転帯状体と、
先端側連結部及び基端側連結部を備えるとともに、当該先端側連結部が、前記前抱き状態において前記第２被着脱部に連結されている前記第２保持体の前記両側部の一方に着脱可能に連結するとともに前記前後抱き状態において前記第３被着脱部に連結されている前記第１保持体及び前記第２保持体の前記一方の前記両側部の他方に着脱可能に連結し、当該基端側連結部が、表向き状態と裏向き状態とのいずれかで選択的に前記装着体に着脱可能に連結する第２反転帯状体とを有する、請求項２に記載の乳幼児保持具。
【請求項４】
前記装着体が、
前記着用者の両肩に巻回される肩装着部と、
前記着用者の腰に巻回される腰装着部と、
前記前抱き状態で前記着用者の腹に位置するとともに前記肩装着部と前記腰装着部とを連結する腹装着部とを有する、請求項２又は３に記載の乳幼児保持具。
【請求項５】
前記第１保持体及び前記第２保持体の前記着脱部が、それぞれ、スライドファスナーの一部で構成されている、請求項１〜４のいずれか一項に記載の乳幼児保持具。
【請求項６】
前記第１保持体及び前記第２保持体が、それぞれ、前記着脱部に隣接するとともに前記装着体に複数箇所のいずれかで選択的に着脱可能に連結する補助着脱部を有する、請求項１〜５のいずれか一項に記載の乳幼児保持具。
【請求項７】
前記第１保持体及び前記第２保持体の前記補助着脱部が、それぞれ、前記着脱部に対する前記保持部の反対側に位置する面ファスナーの片面で構成されている、請求項６に記載の乳幼児保持具。
【発明の詳細な説明】
【技術分野】
【０００１】
本発明は、乳幼児保持具に関する。
【背景技術】
【０００２】
双子などの複数の乳幼児を保持可能な、抱っこひもとも称される乳幼児保持具（Baby Carrier）が知られている。例えば、特許文献１には、２人の乳幼児を、２人の乳幼児が着用者の前方及び後方に１人ずつ配置される前後抱き状態で保持可能な乳幼児保持具が記載されている。
【先行技術文献】
【特許文献】
【０００３】
【特許文献１】実用新案登録第３１４８４４４号公報
【発明の概要】
【発明が解決しようとする課題】
【０００４】
しかし、特許文献１に記載されるような、複数の乳幼児を保持可能な従来の乳幼児保持具は、複数の乳幼児を１通りの配置状態でしか保持することができないので、使い勝手に改善の余地がある。
【０００５】
本発明は、このような点に鑑み、複数の乳幼児を複数の配置状態で保持可能な乳幼児保持具を提供することを目的とする。
【課題を解決するための手段】
【０００６】
本発明の第１の態様としての乳幼児保持具は、着用者の両肩及び腰に装着されるとともに着用者の身体に沿って配置される装着体と、装着体に複数箇所のいずれかで選択的に着脱可能に連結する着脱部と、当該着脱部から第１乳幼児の股下を通ってその胴体の外側まで延在する保持部と、を備えるとともに当該保持部が装着体にそれぞれ連結する両側部を備える第１保持体と、装着体に複数箇所のいずれかで選択的に着脱可能に連結する着脱部と、当該着脱部から第２乳幼児の股下を通ってその胴体の外側まで延在する保持部と、を備えるとともに当該保持部が装着体にそれぞれ連結する両側部を備える第２保持体とを有する。このような構成によれば、第１保持体の着脱部の連結箇所と、第２保持体の着脱部の連結箇所とを変更することにより、第１乳幼児及び第２乳幼児の配置状態を変更することができる。
【０００７】
本発明の１つの実施形態として、乳幼児保持具は、乳幼児保持具が、第１乳幼児及び第２乳幼児を、前抱き状態及び前後抱き状態のいずれかで選択的に保持可能であり、装着体が、前抱き状態において着用者の前面左側に位置するとともに第１保持体の着脱部と着脱可能に連結する第１被着脱部と、前抱き状態において着用者の前面右側に位置するとともに第２保持体の着脱部と着脱可能に連結する第２被着脱部と、前後抱き状態で着用者の前面に位置するとともに第１保持体及び第２保持体の一方の着脱部と着脱可能に連結する第３被着脱部と、前後抱き状態で着用者の背面に位置するとともに第１保持体及び第２保持体の他方の着脱部と着脱可能に連結する第４被着脱部とを有する。このような構成によれば、第１乳幼児及び第２乳幼児を、前抱き状態及び前後抱き状態のいずれかで選択的に安定して保持することができる。
【０００８】
本発明の１つの実施形態として、乳幼児保持具は、先端側連結部及び基端側連結部を備えるとともに、当該先端側連結部が、前抱き状態において第１被着脱部に連結されている第１保持体の両側部の一方に着脱可能に連結するとともに前後抱き状態において第３被着脱部に連結されている第１保持体及び第２保持体の一方の両側部の一方に着脱可能に連結し、当該基端側連結部が、表向き状態と裏向き状態とのいずれかで選択的に装着体に着脱可能に連結する第１反転帯状体と、先端側連結部及び基端側連結部を備えるとともに、当該先端側連結部が、前抱き状態において第２被着脱部に連結されている第２保持体の両側部の一方に着脱可能に連結するとともに前後抱き状態において第３被着脱部に連結されている第１保持体及び第２保持体の一方の両側部の他方に着脱可能に連結し、当該基端側連結部が、表向き状態と裏向き状態とのいずれかで選択的に装着体に着脱可能に連結する第２反転帯状体とを有する。このような構成によれば、前抱き状態から前後抱き状態に変更する際に、連結操作の良好な操作性を得ることができる。
【０００９】
本発明の１つの実施形態として、乳幼児保持具は、装着体が、着用者の両肩に巻回される肩装着部と、着用者の腰に巻回される腰装着部と、前抱き状態で着用者の腹に位置するとともに肩装着部と腰装着部とを連結する腹装着部とを有する。このような構成によれば、特に前後抱き状態において第１乳幼児及び第２乳幼児を安定して保持することができる。
【００１０】
本発明の１つの実施形態として、乳幼児保持具は、第１保持体及び第２保持体の着脱部が、それぞれ、スライドファスナーの一部で構成されている。このような構成によれば、第１保持体及び第２保持体の着脱部を装着体にしっかりと固定することができる。
【００１１】
本発明の１つの実施形態として、乳幼児保持具は、第１保持体及び第２保持体が、それぞれ、着脱部に隣接するとともに装着体に複数箇所のいずれかで選択的に着脱可能に連結する補助着脱部を有する。このような構成によれば、第１保持体及び第２保持体の着脱部を装着体にしっかりと固定することができる。
【００１２】
本発明の１つの実施形態として、乳幼児保持具は、第１保持体及び第２保持体の補助着脱部が、それぞれ、着脱部に対する保持部の反対側に位置する面ファスナーの片面で構成されている。このような構成によれば、第１保持体及び第２保持体の着脱部を装着体にしっかりと固定することができる。
【発明の効果】
【００１３】
本発明によれば、複数の乳幼児を複数の配置状態で保持可能な乳幼児保持具を提供することができる。
【図面の簡単な説明】
【００１４】
【図１】本発明の一実施形態に係る乳幼児保持具の保持具本体を示す正面図である。
【図２】図１に示す保持具本体と共に用いられる第１保持体及び第２保持体を示す正面図である。
【図３】図１に示す保持具本体の背面図である。
【図４】図１に示す保持具本体と共に用いられる第１フード及び第２フードを示す正面図である。
【図５】前抱きのために、図１に示す保持具本体に、図２に示す第１保持体及び第２保持体を取り付けた状態を示す正面図である。
【図６】図１に示す保持具本体と図２に示す第１保持体及び第２保持体とにより、２人の乳幼児を前抱き状態で保持している様子を示す外観図である。
【図７】前後抱きのために、図１に示す保持具本体に、図２に示す第１保持体及び第２保持体を取り付けた状態を示す正面図である。
【図８】図１に示す保持具本体と図２に示す第１保持体及び第２保持体とにより、２人の乳幼児を前後抱き状態で保持している様子を示す外観図である。
【発明を実施するための形態】
【００１５】
以下、図面を参照して、本発明の一実施形態に係る乳幼児保持具について詳細に例示説明する。
【００１６】
図１〜図４に示すように、本実施形態に係る乳幼児保持具１（以下、保持具１ともいう）は、保持具本体２、第１保持体３ａ、第２保持体３ｂ、第１フード４ａ及び第２フード４ｂを有している。なお、乳幼児保持具１は、第１フード４ａ及び第２フード４ｂを有さない構成であってもよい。保持具１は、図６及び図８に示すように、２人の乳幼児、すなわち第１乳幼児Ｂａ及び第２乳幼児Ｂｂを、２人の乳幼児が着用者Ｗの前方に左右に並べて配置される前抱き状態（図６参照）と、２人の乳幼児が着用者Ｗの前方及び後方に１人ずつ配置される前後抱き状態（図８参照）とのいずれかで選択的に保持可能である。
【００１７】
図１及び図３に示すように、保持具本体２は、着用者Ｗ（図６及び図８参照）の両肩及び腰に装着されるとともに着用者Ｗの身体に沿って配置される装着体５と、装着体５に連結する４つの帯状体、すなわち、第１帯状体６ａ、第２帯状体６ｂ、第１反転帯状体７ａ及び第２反転帯状体７ｂとを有している。
【００１８】
装着体５は、着用者Ｗの両肩に巻回される肩装着部５ａと、着用者Ｗの腰に巻回される腰装着部５ｂと、前抱き状態で着用者の腹に位置するとともに肩装着部５ａと腰装着部５ｂとを一体に連結する腹装着部５ｃとを有している。装着体５は、肩装着部５ａの一部と腰装着部５ｂの一部とがベルトで構成されたベストとして構成されている。装着体５は、肩装着部５ａと、腹装着部５ｃと、腰装着部５ｂにおける前抱き状態で着用者Ｗの前面に位置する部分とからなるベスト主部８ａを有している。また、装着体５は、腰装着部５ｂにおいて前抱き状態で着用者Ｗの腰背面に位置する部分からなるベスト副部８ｂを有している。
【００１９】
ベスト主部８ａとベスト副部８ｂとは、腰ベルト部９によって互いに連結されている。腰ベルト部９は、雄バックル１０ａと雌バックル１０ｂとからなるバックル１０を有している。着用者Ｗがベスト主部８ａを着用した状態でベスト副部８ｂを腰に当て、雄バックル１０ａと雌バックル１０ｂとを互いに連結することで、腰への腹装着部５ｃの巻回状態を維持することができる。腰ベルト部９は、バックル１０のベルト通し孔などを介することで、腰周りの長さを調節可能である。
【００２０】
図２に示すように、第１保持体３ａは、装着体５に複数箇所のいずれかで選択的に着脱可能に連結する着脱部１１ａと、当該着脱部１１ａから第１乳幼児Ｂａの股下を通ってその胴体の外側まで延在する保持部１２ａと、を有している。第１保持体３ａの保持部１２ａは、装着体５にそれぞれ連結する両側部１３ａを有している。
【００２１】
また、第２保持体３ｂは、装着体５に複数箇所のいずれかで選択的に着脱可能に連結する着脱部１１ｂと、当該着脱部１１ｂから第２乳幼児Ｂｂの股下を通ってその胴体の外側まで延在する保持部１２ｂと、を有している。第２保持体３ｂの保持部１２ｂは、装着体５にそれぞれ連結する両側部１３ｂを有している。
【００２２】
第１保持体３ａ及び第２保持体３ｂの着脱部１１ａ、１１ｂは、それぞれ、線ファスナーとも称されるスライドファスナーの一部で構成されている。より具体的には、第１保持体３ａ及び第２保持体３ｂの着脱部１１ａ、１１ｂは、それぞれ、スライドファスナーの主部（すなわち、一対の務歯のうちの一方とスライダーとからなる部分）で構成されている。第１保持体３ａ及び第２保持体３ｂの着脱部１１ａ、１１ｂは、それぞれ、第１保持体３ａ及び第２保持体３ｂの外側面（すなわち、第１乳幼児Ｂａ及び第２乳幼児Ｂｂに接しない側の面）に位置する。
【００２３】
第１保持体３ａは、着脱部１１ａに隣接するとともに装着体５に複数箇所のいずれかで選択的に着脱可能に連結する補助着脱部１４ａを有している。第１保持体３ａの補助着脱部１４ａは、着脱部１１ａに対する保持部１２ａの反対側に位置する面ファスナーの片面１４ａ１で構成されている。第２保持体３ｂは、着脱部１１ｂに隣接するとともに装着体５に複数箇所のいずれかで選択的に着脱可能に連結する補助着脱部１４ｂを有している。第２保持体３ｂの補助着脱部１４ｂは、着脱部１１ｂに対する保持部１２ｂの反対側に位置する面ファスナーの片面１４ｂ１で構成されている。第１保持体３ａ及び第２保持体３ｂの補助着脱部１４ａ、１４ｂは、それぞれ、第１保持体３ａ及び第２保持体３ｂの外側面に位置する。
【００２４】
図１及び図５に示すように、装着体５は、前抱き状態において着用者Ｗの前面左側（より具体的には腰前面左側）に位置するとともに第１保持体３ａの着脱部１１ａと着脱可能に連結する第１被着脱部１５ａと、前抱き状態において着用者Ｗの前面右側（より具体的には腰前面右側）に位置するとともに第２保持体３ｂの着脱部１１ｂと着脱可能に連結する第２被着脱部１５ｂとを有している。なお、図５は、前抱きの準備状態とされた保持具１を示している。
【００２５】
図１及び図７に示すように、装着体５は、前後抱き状態で着用者Ｗの前面（より具体的には腰前面）に位置するとともに第１保持体３ａ及び第２保持体３ｂの一方（図示の例では第２保持体３ｂ）の着脱部１１ｂと着脱可能に連結する第３被着脱部１５ｃと、前後抱き状態で着用者Ｗの腰背面に位置するとともに第１保持体３ａ及び第２保持体３ｂの他方（図示の例では第１保持体３ａ）の着脱部１１ａと着脱可能に連結する第４被着脱部１５ｄとを有している。第４被着脱部１５ｄは、第１被着脱部１５ａ及び第２被着脱部１５ｂの下方に位置する。第１被着脱部１５ａ、第２被着脱部１５ｂ、第３被着脱部１５ｃ及び第４被着脱部１５ｄは、それぞれ、装着体５の外側面（すなわち、着用者Ｗに接しない側の面）に位置する。なお、図７は、前後抱きの準備状態とされた保持具１を示している。
【００２６】
第１被着脱部１５ａ、第２被着脱部１５ｂ、第３被着脱部１５ｃ及び第４被着脱部１５ｄは、それぞれ、スライドファスナーの副部（すなわち、一対の務歯のうちの他方からなる部分）で構成されている。第１保持体３ａの着脱部１１ａは、第１被着脱部１５ａ、第２被着脱部１５ｂ、第３被着脱部１５ｃ及び第４被着脱部１５ｄのいずれかに選択的に連結可能である。また、第２保持体３ｂの着脱部１１ｂは、第１被着脱部１５ａ、第２被着脱部１５ｂ、第３被着脱部１５ｃ及び第４被着脱部１５ｄのいずれかに選択的に連結可能である。
【００２７】
図１及び図５に示すように、装着体５は、第１被着脱部１５ａの上部に位置するとともに前抱き状態において第１保持体３ａの補助着脱部１４ａと着脱可能に連結する第１補助被着脱部１６ａと、第２被着脱部１５ｂの上部に位置するとともに前抱き状態において第２保持体３ｂの補助着脱部１４ｂと着脱可能に連結する第２補助被着脱部１６ｂとを有している。
【００２８】
図１及び図７に示すように、装着体５は、第３被着脱部１５ｃの上部に位置するとともに前後抱き状態において第１保持体３ａ及び第２保持体３ｂの一方（図示の例では第２保持体３ｂ）の補助着脱部１４ｂと着脱可能に連結する第３補助被着脱部１６ｃと、第４被着脱部１５ｄの上部に位置するとともに前後抱き状態において第１保持体３ａ及び第２保持体３ｂの他方（図示の例では第１保持体３ａ）の補助着脱部１４ａと着脱可能に連結する第４補助被着脱部１６ｄとを有している。第１補助被着脱部１６ａ、第２補助被着脱部１６ｂ、第３補助被着脱部１６ｃ及び第４補助被着脱部１６ｄは、それぞれ、装着体５の外側面に位置する。
【００２９】
第１補助被着脱部１６ａ、第２補助被着脱部１６ｂ、第３補助被着脱部１６ｃ及び第４補助被着脱部１６ｄは、それぞれ、面ファスナーの残りの片面１６ａ１、１６ｂ１、１６ｃ１、１６ｄ１で構成されている。第１保持体３ａの面ファスナーの片面１４ａ１は、面ファスナーの残りの片面１６ａ１、１６ｂ１、１６ｃ１、１６ｄ１のいずれかに選択的に連結可能である。また、第２保持体３ｂの面ファスナーの片面１４ｂ１は、面ファスナーの残りの片面１６ａ１、１６ｂ１、１６ｃ１、１６ｄ１のいずれかに選択的に連結可能である。
【００３０】
図１に示すように、第１反転帯状体７ａは、先端側連結部１７ａ及び基端側連結部１８ａを有している。第１反転帯状体７ａの先端側連結部１７ａは、前抱き状態において第１被着脱部１５ａに連結されている第１保持体３ａの両側部１３ａの一方（図５に示す例では着用時に外側から視たときの左側側部１９ａ）に着脱可能に連結する。また、第１反転帯状体７ａの先端側連結部１７ａは、前後抱き状態において第３被着脱部１５ｃに連結されている第１保持体３ａ及び第２保持体３ｂの一方（図７に示す例では第２保持体３ｂ）の両側部１３ｂの一方（図７に示す例では着用時に外側から視たときの右側側部２０ｂ）に着脱可能に連結する。第１反転帯状体７ａの基端側連結部１８ａは、表向き状態と裏向き状態とのいずれかで選択的に装着体５の肩装着部５ａの肩上部５ｄ（より具体的には、前抱き状態で着用者Ｗの右肩に位置する部分）に着脱可能に連結する。
【００３１】
また、第２反転帯状体７ｂは、先端側連結部１７ｂ及び基端側連結部１８ｂを有している。第２反転帯状体７ｂの先端側連結部１７ｂは、前抱き状態において第２被着脱部１５ｂに連結されている第２保持体３ｂの両側部１３ｂの一方（図５に示す例では着用時に外側から視たときの右側側部２０ｂ）に着脱可能に連結する。また、第２反転帯状体７ｂの先端側連結部１７ｂは、前後抱き状態において第３被着脱部１５ｃに連結されている第１保持体３ａ及び第２保持体３ｂの一方（図７に示す例では第２保持体３ｂ）の両側部１３ｂの一方（図７に示す例では着用時に外側から視たときの左側側部１９ｂ）に着脱可能に連結する。第２反転帯状体７ｂの基端側連結部１８ｂは、表向き状態と裏向き状態とのいずれかで選択的に装着体５の肩装着部５ａの肩上部５ｄ（より具体的には、前抱き状態で着用者Ｗの左肩に位置する部分）に着脱可能に連結する。
【００３２】
第１反転帯状体７ａ及び第２反転帯状体７ｂの基端側連結部１８ａ、１８ｂは、それぞれ、前抱き状態から前後抱き状態に変更する際、及びその反対に変更する際に、表裏を逆転させて肩装着部５ａの肩上部５ｄに着脱される。これにより、前抱き状態と前後抱き状態とのいずれにおいても、着用者Ｗから視たときの、第１反転帯状体７ａ及び第２反転帯状体７ｂの先端側連結部１７ａ、１７ｂの表裏の向きを同じにすることができる。したがって、着脱時の操作要領を同じにして、操作性を向上することができる。
【００３３】
第１反転帯状体７ａ及び第２反転帯状体７ｂの基端側連結部１８ａ、１８ｂは、雄バックルに対して雌バックルを表裏のいずれの向きにおいても連結可能に構成された表裏の互換性を有するバックルを介して肩装着部５ａの肩上部５ｄに着脱可能に連結する。第１反転帯状体７ａ及び第２反転帯状体７ｂの基端側連結部１８ａ、１８ｂは、一方が雄バックルを有し、他方が雌バックルを有している。これにより、第１反転帯状体７ａ及び第２反転帯状体７ｂは、基端側連結部１８ａ、１８ｂ同士を連結することで、一体化した状態で収納することができる。しかし、第１反転帯状体７ａ及び第２反転帯状体７ｂの基端側連結部１８ａ、１８ｂは、両方が雄バックル又は雌バックルを有する構成であってもよい。
【００３４】
第１帯状体６ａは、先端側連結部２１ａ及び基端側連結部２２ａを有している。第１帯状体６ａの先端側連結部２１ａは、前抱き状態において第１被着脱部１５ａに連結されている第１保持体３ａの両側部１３ａの他方（図５に示す例では着用時に外側から視たときの右側側部２０ａ）に着脱可能に連結する。また、第１帯状体６ａの先端側連結部２１ａは、前後抱き状態において第４被着脱部１５ｄに連結されている第１保持体３ａ及び第２保持体３ｂの他方（図７に示す例では第１保持体３ａ）の両側部１３ａの一方（図７に示す例では着用時に外側から視たときの右側側部２０ａ）に着脱可能に連結する。第１帯状体６ａの基端側連結部２２ａは、肩装着部５ａの肩上部５ｄ（より具体的には、前抱き状態で着用者Ｗの左肩に位置する部分）に一体に連結する。
【００３５】
第２帯状体６ｂは、先端側連結部２１ｂ及び基端側連結部２２ｂを有している。第２帯状体６ｂの先端側連結部２１ｂは、前抱き状態において第２被着脱部１５ｂに連結されている第２保持体３ｂの両側部１３ｂの他方（図５に示す例では着用時に外側から視たときの左側側部１９ｂ）に着脱可能に連結する。また、第２帯状体６ｂの先端側連結部２１ｂは、前後抱き状態において第４被着脱部１５ｄに連結されている第１保持体３ａ及び第２保持体３ｂの他方（図７に示す例では第１保持体３ａ）の両側部１３ａの他方（図７に示す例では着用時に外側から視たときの左側側部１９ａ）に着脱可能に連結する。第２帯状体６ｂの基端側連結部２２ｂは、肩装着部５ａの肩上部５ｄ（より具体的には、前抱き状態で着用者Ｗの右肩に位置する部分）に一体に連結する。
【００３６】
第１保持体３ａは、左側側部１９ａの外側面に位置する左側被連結部２３ａと、右側側部２０ａの外側面に位置する右側被連結部２４ａとを有している。また、第２保持体３ｂは、左側側部１９ｂの外側面に位置する左側被連結部２３ｂと、右側側部２０ｂの外側面に位置する右側被連結部２４ｂとを有している。
【００３７】
第１反転帯状体７ａ、第２反転帯状体７ｂ、第１帯状体６ａ及び第２帯状体６ｂの先端側連結部１７ａ、１７ｂ、２１ａ、２１ｂは、それぞれ、バックルを構成する雄バックル及び雌バックルの一方（より具体的には、雌バックル）で構成されている。第１保持体３ａの左側被連結部２３ａ及び右側被連結部２４ａ、並びに第２保持体３ｂの左側被連結部２３ｂ及び右側被連結部２４ｂは、それぞれ、バックルを構成する雄バックル及び雌バックルの他方（より具体的には、雄バックル）で構成されている。
【００３８】
第１反転帯状体７ａの先端側連結部１７ａは、第１保持体３ａの左側被連結部２３ａ及び右側被連結部２４ａ並びに第２保持体３ｂの左側被連結部２３ｂ及び右側被連結部２４ｂのいずれかに選択的に連結可能である。第２反転帯状体７ｂの先端側連結部１７ｂは、第１保持体３ａの左側被連結部２３ａ及び右側被連結部２４ａ並びに第２保持体３ｂの左側被連結部２３ｂ及び右側被連結部２４ｂのいずれかに選択的に連結可能である。第１帯状体６ａの先端側連結部２１ａは、第１保持体３ａの左側被連結部２３ａ及び右側被連結部２４ａ並びに第２保持体３ｂの左側被連結部２３ｂ及び右側被連結部２４ｂのいずれかに選択的に連結可能である。第２帯状体６ｂの先端側連結部２１ｂは、第１保持体３ａの左側被連結部２３ａ及び右側被連結部２４ａ並びに第２保持体３ｂの左側被連結部２３ｂ及び右側被連結部２４ｂのいずれかに選択的に連結可能である。したがって、第１保持体３ａと第２保持体３ｂとは、相互に入れ替えても使用可能である。
【００３９】
第１保持体３ａは、着用時に第１乳幼児Ｂａと着用者Ｗとの間に通される補助帯状体２５ａを有している。第１保持体３ａの補助帯状体２５ａは、先端側連結部２６ａ及び基端側連結部２７ａを有している。第１保持体３ａの補助帯状体２５ａの先端側連結部２６ａは、第１保持体３ａの右側側部２０ａの外側面に位置する補助被連結部２８ａと着脱可能に連結する。第１保持体３ａの補助帯状体２５ａの基端側連結部２７ａは、第１保持体３ａの左側側部１９ａに一体に連結する。
【００４０】
第２保持体３ｂは、着用時に第２乳幼児Ｂｂと着用者Ｗとの間に通される補助帯状体２５ｂを有している。第２保持体３ｂの補助帯状体２５ｂは、先端側連結部２６ｂ及び基端側連結部２７ｂを有している。第２保持体３ｂの補助帯状体２５ｂの先端側連結部２６ｂは、第２保持体３ｂの左側側部１９ｂの外側面に位置する補助被連結部２８ｂと着脱可能に連結する。第２保持体３ｂの補助帯状体２５ｂの基端側連結部２７ｂは、第２保持体３ｂの右側側部２０ｂに一体に連結する。
【００４１】
第１保持体３ａ及び第２保持体３ｂの補助帯状体２５ａ、２５ｂの先端側連結部２６ａ、２６ｂは、それぞれ、バックルを構成する雄バックル及び雌バックルの一方（より具体的には、雌バックル）で構成されている。第１保持体３ａ及び第２保持体３ｂの補助被連結部２８ａ、２８ｂは、それぞれ、バックルを構成する雄バックル及び雌バックルの他方（より具体的には、雄バックル）で構成されている。
【００４２】
第１保持体３ａの補助着脱部１４ａは、面ファスナーの片面１４ａ１に加えて、互いに着脱可能に連結する１対のループからなるループ係合手段の片方（図示の例では２つのループ片１４ａ２）によっても構成されている。より具体的には、第１保持体３ａの補助着脱部１４ａは、スライドファスナーにおけるスライド方向の両端部に配置された２つのループ片１４ａ２で構成されている。２つのループ片１４ａ２は、それぞれ、スナップボタンを介して開閉される。
【００４３】
第２保持体３ｂの補助着脱部１４ｂは、面ファスナーの片面１４ｂ１に加えて、ループ係合手段の片方（図示の例では２つのループ片１４ｂ２）によっても構成されている。より具体的には、第２保持体３ｂの補助着脱部１４ｂは、スライドファスナーにおけるスライド方向の両端部に配置された２つのループ片１４ｂ２で構成されている。２つのループ片１４ｂ２は、それぞれ、スナップボタンを介して開閉される。
【００４４】
第１補助被着脱部１６ａ、第２補助被着脱部１６ｂ、第３補助被着脱部１６ｃ及び第４補助被着脱部１６ｄは、それぞれ、面ファスナーの残りの片面１６ａ１、１６ｂ１、１６ｃ１、１６ｄ１に加えて、ループ係合手段の残りの片方（図示の例では２つのループ体１６ａ２、１６ｂ２、１６ｃ２、１６ｄ２）によっても構成されている。２つのループ体１６ａ２、１６ｂ２、１６ｃ２、１６ｄ２は、開閉されない。第１保持体３ａの２つのループ片１４ａ２は、２つのループ体１６ａ２、１６ｂ２、１６ｃ２、１６ｄ２のいずれかに選択的に連結可能である。また、第２保持体３ｂの２つのループ片１４ｂ２は、２つのループ体１６ａ２、１６ｂ２、１６ｃ２、１６ｄ２のいずれかに選択的に連結可能である。
【００４５】
したがって、第１保持体３ａの補助着脱部１４ａは、第１補助被着脱部１６ａ、第２補助被着脱部１６ｂ、第３補助被着脱部１６ｃ及び第４補助被着脱部１６ｄのいずれかに選択的に連結可能である。また、第２保持体３ｂの補助着脱部１４ｂは、第１補助被着脱部１６ａ、第２補助被着脱部１６ｂ、第３補助被着脱部１６ｃ及び第４補助被着脱部１６ｄのいずれかに選択的に連結可能である。
【００４６】
図３及び図５に示すように、ベスト副部８ｂの内側面（着用者Ｗに接する側の面）には、第３補助被着脱部１６ｃを構成する面ファスナーの残りの片面１６ｃ１を収納可能なポケット２９を有している。ポケット２９は、面ファスナーの残りの片面１６ｃ１の不使用時にベスト副部８ｂをスライドファスナー付近で折り返すことで、面ファスナーの残りの片面１６ｃ１を収納可能である。
【００４７】
図２に示すように、第１保持体３ａの保持部１２ａの上端縁部には、３つの第１スナップボタンの片方３０ａが設けられている。第２保持体３ｂの保持部１２ｂの上端縁部には、３つの第１スナップボタンの片方３０ｂが設けられている。
【００４８】
図４に示すように、第１フード４ａは、第１端縁部に３つの第１スナップボタンの残りの片方３１ａが設けられた矩形状のシート状部３２ａと、シート状部３２ａの第１端縁部の反対側に位置する第２端縁部における両端部から延在する２つの帯状部３３ａと、で構成されている。２つの帯状部３３ａは、それぞれ、長手方向に沿って並ぶ複数（図示の例では５つ）の第２スナップボタンの片方３４ａを有している。なお、５つの第２スナップボタンの片方３４ａは、状況に応じてこれらのうちの１つが選択的に使用される。
【００４９】
第２フード４ｂは、第１端縁部に３つの第１スナップボタンの残りの片方３１ｂが設けられた矩形状のシート状部３２ｂと、シート状部３２ｂの第１端縁部の反対側に位置する第２端縁部における両端部から延在する２つの帯状部３３ｂと、で構成されている。２つの帯状部３３ｂは、それぞれ、長手方向に沿って並ぶ複数（図示の例では５つ）の第２スナップボタンの片方３４ｂを有している。なお、５つの第２スナップボタンの片方３４ｂは、状況に応じてこれらのうちの１つが選択的に使用される。
【００５０】
図１に示すように、装着体５の肩装着部５ａの肩上部には、前抱き状態で着用者Ｗの右肩に位置する部分に２つ、前抱き状態で着用者Ｗの左肩に位置する部分に２つとなる計４つの、第２スナップボタンの残りの片方３５が設けられている。したがって、前抱き状態及び前後抱き状態のいずれの場合でも、必要に応じて第１フード４ａを第１保持体３ａ及び肩装着部５ａの肩上部に連結することで、第１乳幼児Ｂａの頭部を日差し等から保護することができる。また、前抱き状態及び前後抱き状態のいずれの場合でも、必要に応じて第２フード４ｂを第２保持体３ｂ及び肩装着部５ａの肩上部に連結することで、第２乳幼児Ｂｂの頭部を日差し等から保護することができる。
【００５１】
保持具１は、前後抱き状態において、装着者の背面に位置する第１保持体３ａ又は第２保持体３ｂの左側側部１９ａ又は１９ｂ（図示の例では第１保持体３ａの左側側部１９ａ）における上部を、装着体５の肩装着部５ａにおける左肩上部に位置する部分に着脱可能に連結する帯状の第１補助連結体（図示省略）と、前後抱き状態において、装着者の背面に位置する第１保持体３ａ又は第２保持体３ｂの右側側部２０ａ又は２０ｂ（図示の例では第１保持体３ａの右側側部２０ａ）における上部を、装着体５の肩装着部５ａにおける右肩上部に位置する部分に着脱可能に連結する帯状の第２補助連結体（図示省略）とを有していてもよい。その場合、第１補助連結体と肩装着部５ａとを着脱可能に連結する手段は、例えば、ループ係合手段又はバックルなどであってよい。第２補助連結体と肩装着部５ａとを着脱可能に連結する手段も、例えば、ループ係合手段又はバックルなどであってよい。
【００５２】
図３に示すように、装着体５の肩装着部５ａは、前抱き状態で着用者Ｗの左肩に巻回されるループ状をなす第１部分５ａ１と、前抱き状態で着用者Ｗの右肩に巻回されるループ状をなす第２部分５ａ２とで構成されている。ループ状の第１部分５ａ１は、バックル３５ａにより開閉可能である。また、ループ状の第１部分５ａ１は、バックル３５ａのベルト通し孔を介することで、ループ長を調節可能である。ループ状の第２部分５ａ２は、バックル３５ｂにより開閉可能である。また、ループ状の第２部分５ａ２は、バックル３５ｂのベルト通し孔を介することで、ループ長を調節可能である。
【００５３】
第１部分５ａ１と第２部分５ａ２とは、前抱き状態で着用者Ｗの背中側に位置する部分に設けられたバックル３６により互いに着脱可能に連結する。バックル３６を構成する雄バックル３６ａ及び雌バックル３６ｂの一方（図示の例では雄バックル３６ａ）が第１部分５ａ１に設けられ、バックル３６を構成する雄バックル３６ａ及び雌バックル３６ｂの他方（図示の例では雌バックル３６ｂ）が第２部分５ａ２に設けられている。
【００５４】
保持具１によれば、例えば次の要領により、第１乳幼児Ｂａ及び第２乳幼児Ｂｂを前抱き状態で保持することができる。まず、着用者Ｗは、図５に示すように、第１保持体３ａの着脱部１１ａを第１被着脱部１５ａに連結し、第１保持体３ａの補助着脱部１４ａを第１補助被着脱部１６ａに連結する。また、着用者Ｗは、第２保持体３ｂの着脱部１１ｂを第２被着脱部１５ｂに連結し、第２保持体３ｂの補助着脱部１４ｂを第２補助被着脱部１６ｂに連結する。次いで、着用者Ｗは、第１帯状体６ａの先端側連結部２１ａを第１保持体３ａの右側被連結部２４ａに連結するとともに、第２帯状体６ｂの先端側連結部２１ｂを第２保持体３ｂの左側被連結部２３ｂに連結する。
【００５５】
次いで、着用者Ｗは、装着体５を腹装着部５ｃが腹に位置するように着用する。次いで、着用者Ｗは、第１乳幼児Ｂａを第１保持体３ａに載せ、第１反転帯状体７ａの先端側連結部１７ａを第１保持体３ａの左側被連結部２３ａに連結し、第１保持体３ａの補助帯状体２５ａの先端側連結部２６ａを第１保持体３ａの補助被連結部２８ａに連結する。次いで、着用者Ｗは、第２乳幼児Ｂｂを第２保持体３ｂに載せ、第２反転帯状体７ｂの先端側連結部１７ｂを第２保持体３ｂの右側被連結部２４ｂに連結し、第２保持体３ｂの補助帯状体２５ｂの先端側連結部２６ｂを第２保持体３ｂの補助被連結部２８ｂに連結する。その結果、図６に示すような前抱きが可能となる。
【００５６】
また、保持具１によれば、例えば次の要領により、第１乳幼児Ｂａ及び第２乳幼児Ｂｂを前後抱き状態で保持することができる。まず、着用者Ｗは、図７に示すように、第１保持体３ａの着脱部１１ａを第４被着脱部１５ｄに連結し、第１保持体３ａの補助着脱部１４ａを第４補助被着脱部１６ｄに連結する。また、着用者Ｗは、第２保持体３ｂの着脱部１１ｂを第３被着脱部１５ｃに連結し、第２保持体３ｂの補助着脱部１４ｂを第３補助被着脱部１６ｃに連結する。次いで、着用者Ｗは、第１反転帯状体７ａの基端側連結部１８ａを裏返して肩装着部５ａの肩上部５ｄに連結するとともに、第２反転帯状体７ｂの基端側連結部１８ｂを裏返して肩装着部５ａの肩上部５ｄに連結する。
【００５７】
次いで、着用者Ｗは、まず、腹装着部５ｃが腹に位置するように装着体５を着用する。このとき、装着体５を緩めに調整する。次いで、着用者Ｗは、第１乳幼児Ｂａを第１保持体３ａに載せ、第１帯状体６ａの先端側連結部２１ａを第１保持体３ａの右側被連結部２４ａに連結するとともに、第２帯状体６ｂの先端側連結部２１ｂを第１保持体３ａの左側被連結部２３ａに連結し、第１保持体３ａの補助帯状体２５ａの先端側連結部２６ａを第１保持体３ａの補助被連結部２８ａに連結する。次いで、着用者Ｗは、腹装着部５ｃが背面に位置するように保持具本体２を回転させる。
【００５８】
なお、着用者Ｗは、保持具本体２を着用する前に第１乳幼児Ｂａを第１保持体３ａに載せ、第１帯状体６ａ及び第２帯状体６ｂを第１保持体３ａに連結するとともに補助帯状体２５ａの連結を済ませた後に、リュックのように背負いながら保持具本体２を着用してもよい。
【００５９】
次いで、着用者Ｗは、第２乳幼児Ｂｂを第２保持体３ｂに載せ、第１反転帯状体７ａの先端側連結部１７ａを第２保持体３ｂの右側被連結部２４ｂに連結し、第２反転帯状体７ｂの先端側連結部１７ｂを第２保持体３ｂの左側被連結部２３ｂに連結し、第２保持体３ｂの補助帯状体２５ｂの先端側連結部２６ｂを第２保持体３ｂの補助被連結部２８ｂに連結する。その結果、図８に示すような前後抱きが可能となる。
【００６０】
前述した本実施の形態は、本発明の実施の形態の一例にすぎず、発明の要旨を逸脱しない範囲で種々変更可能であることはいうまでもない。
【００６１】
例えば、スライドファスナーのスライダー及び各種バックルの形状・構造等は、図示されているものに限られない。
【符号の説明】
【００６２】
１：乳幼児保持具、  ２：保持具本体、  ３ａ：第１保持体、  ３ｂ：第２保持体、
４ａ：第１フード、  ４ｂ：第２フード、  ５：装着体、  ５ａ：肩装着部、
５ａ１：第１部分、  ５ａ２：第２部分、  ５ｂ：腰装着部、  ５ｃ：腹装着部、
５ｄ：肩上部、  ６ａ：第１帯状体、  ６ｂ：第２帯状体、  ７ａ：第１反転帯状体、
７ｂ：第２反転帯状体、  ８ａ：ベスト主部、  ８ｂ：ベスト副部、
９：腰ベルト部、  １０：バックル、  １０ａ：雄バックル、  １０ｂ：雌バックル、
１１ａ、１１ｂ：着脱部、  １２ａ、１２ｂ：保持部、  １３ａ、１３ｂ：両側部、
１４ａ、１４ｂ：補助着脱部、  １４ａ１、１４ｂ１：面ファスナーの片面、
１４ａ２、１４ｂ２：ループ片、  １５ａ：第１被着脱部、  １５ｂ：第２被着脱部、
１５ｃ：第３被着脱部、  １５ｄ：第４被着脱部、  １６ａ：第１補助被着脱部、
１６ｂ：第２補助被着脱部、  １６ｃ：第３補助被着脱部、
１６ｄ：第４補助被着脱部、
１６ａ１、１６ｂ１、１６ｃ１、１６ｄ１：面ファスナーの残りの片面、
１６ａ２、１６ｂ２、１６ｃ２、１６ｄ２：ループ体、
１７ａ、１７ｂ、２１ａ、２１ｂ：先端側連結部、
１８ａ、１８ｂ、２２ａ、２２ｂ：基端側連結部、
１９ａ、１９ｂ：左側側部、  ２０ａ、２０ｂ：右側側部、
２３ａ、２３ｂ：左側被連結部、  ２４ａ、２４ｂ：右側被連結部、
２５ａ、２５ｂ：補助帯状体、  ２６ａ、２６ｂ：先端側連結部、
２７ａ、２７ｂ：基端側連結部、  ２８ａ、２８ｂ：補助被連結部、
２９：ポケット、  ３０ａ、３０ｂ：第１スナップボタンの片方、
３１ａ、３１ｂ：第１スナップボタンの残りの片方、  ３２ａ、３２ｂ：シート状部、
３３ａ、３３ｂ：帯状部、  ３４ａ、３４ｂ：第２スナップボタンの片方、
３５ａ、３５ｂ：バックル、  ３６：バックル、  ３６ａ：雄バックル、
３６ｂ：雌バックル、  Ｂａ：第１乳幼児、  Ｂｂ：第２乳幼児、  Ｗ：着用者
【図１】
2020141798.tif 000003
【図２】
2020141798.tif 000004
【図３】
2020141798.tif 000005
【図４】
2020141798.tif 000006
【図５】
2020141798.tif 000007
【図６】
2020141798.tif 000008
【図７】
2020141798.tif 000009
【図８】
2020141798.tif 000010
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
着用者の両肩及び腰に装着されるとともに前記着用者の身体に沿って配置される装着体と、
前記装着体に複数箇所のいずれかで選択的に着脱可能に連結する着脱部と、当該着脱部から第１乳幼児の股下を通ってその胴体の外側まで延在する保持部と、を備えるとともに当該保持部が前記装着体にそれぞれ連結する両側部を備える第１保持体と、
前記装着体に複数箇所のいずれかで選択的に着脱可能に連結する着脱部と、当該着脱部から第２乳幼児の股下を通ってその胴体の外側まで延在する保持部と、を備えるとともに当該保持部が前記装着体にそれぞれ連結する両側部を備える第２保持体とを有し、
前記第１乳幼児及び前記第２乳幼児を、前抱き状態及び前後抱き状態のいずれかで選択的に保持可能であり、
前記装着体が、
前記前抱き状態において前記着用者の腰前面左側に位置するとともに前記第１保持体の前記着脱部と着脱可能に連結する第１被着脱部と、
前記前抱き状態において前記着用者の腰前面右側に位置するとともに前記第２保持体の前記着脱部と着脱可能に連結する第２被着脱部と、
前記前後抱き状態で前記着用者の腰前面に位置するとともに前記第１保持体及び前記第２保持体の一方の前記着脱部と着脱可能に連結する第３被着脱部と、
前記前後抱き状態で前記着用者の腰背面に位置するとともに前記第１保持体及び前記第２保持体の他方の前記着脱部と着脱可能に連結する第４被着脱部とを有する乳幼児保持具。
【請求項２】
先端側連結部及び基端側連結部を備えるとともに、当該先端側連結部が、前記前抱き状態において前記第１被着脱部に連結されている前記第１保持体の前記両側部の一方に着脱可能に連結するとともに前記前後抱き状態において前記第３被着脱部に連結されている前記第１保持体及び前記第２保持体の前記一方の前記両側部の一方に着脱可能に連結し、当該基端側連結部が、表向き状態と裏向き状態とのいずれかで選択的に前記装着体に着脱可能に連結する第１反転帯状体と、
先端側連結部及び基端側連結部を備えるとともに、当該先端側連結部が、前記前抱き状態において前記第２被着脱部に連結されている前記第２保持体の前記両側部の一方に着脱可能に連結するとともに前記前後抱き状態において前記第３被着脱部に連結されている前記第１保持体及び前記第２保持体の前記一方の前記両側部の他方に着脱可能に連結し、当該基端側連結部が、表向き状態と裏向き状態とのいずれかで選択的に前記装着体に着脱可能に連結する第２反転帯状体とを有する、請求項１に記載の乳幼児保持具。
【請求項３】
前記装着体が、
前記着用者の両肩に巻回される肩装着部と、
前記着用者の腰に巻回される腰装着部と、
前記前抱き状態で前記着用者の腹に位置するとともに前記肩装着部と前記腰装着部とを連結する腹装着部とを有する、請求項１又は２に記載の乳幼児保持具。
【請求項４】
前記第１保持体及び前記第２保持体の前記着脱部が、それぞれ、スライドファスナーの一部で構成されている、請求項１〜３のいずれか一項に記載の乳幼児保持具。
【請求項５】
前記第１保持体及び前記第２保持体が、それぞれ、前記着脱部に隣接するとともに前記装着体に複数箇所のいずれかで選択的に着脱可能に連結する補助着脱部を有する、請求項１〜４のいずれか一項に記載の乳幼児保持具。
【請求項６】
前記第１保持体及び前記第２保持体の前記補助着脱部が、それぞれ、前記着脱部から視て前記保持部の反対側に位置する面ファスナーの片面で構成されている、請求項５に記載の乳幼児保持具。